(57)【要約】【課題】静電電流を放出するコネクタとプリント回路板を提供する。【解決手段】第１突出部分を含む第１側を含む第１ピンと、前記第１側に面する第２側を含み、前記第１突出部分が前記第２側に接近する第２ピンと、を含むコネクタ、並びに、第１突出部分を含む第１側を含む第１パッドと、前記第１側に面する第２側と、を含み、前記第１突出部分が前記第２側に接近する第２パッドを含むプリント回路板を提供する。本考案のコネクタおよびプリント回路板によれば、パッドで静電気が生じた場合、静電電流は、突出部分と、パッドと、トレースから接地に放出され、突出部分によって即時に放出されることから、トレースと集積回路が静電電流によって影響されることがなく、集積回路の破損を防ぐことができる。【選択図】図３Ａ
0003138624.tif 000002
【実用新案登録請求の範囲】
【請求項１】
第１突出部分を備えた第１側を含む第１ピンと、
前記第１側に面する第２側を含み、前記第１突出部分が前記第２側に接近する第２ピンと、
を含むことを特徴とするコネクタ。
【請求項２】
前記第２側は、前記第１突出部分に接近する第２突出部分を含むことを特徴とする請求項１に記載のコネクタ。
【請求項３】
データ信号が前記第１ピンによって伝送され、電源信号が前記第２ピンによって伝送されることを特徴とする請求項２に記載のコネクタ。
【請求項４】
前記電源信号は、接地信号であることを特徴とする請求項３に記載のコネクタ。
【請求項５】
前記第１突出部分の形状は、第１三角形であり、前記第２突出部分の形状は、第２三角形であることを特徴とする請求項２に記載のコネクタ。
【請求項６】
前記第１三角形の頂点は、前記第２三角形の頂点に接近することを特徴とする請求項５に記載のコネクタ。
【請求項７】
前記第１突出部分の形状は、第１弧状であり、前記第２突出部分の形状は、第２弧状であることを特徴とする請求項２に記載のコネクタ。
【請求項８】
前記第１弧状の端子は、前記第２弧状の端子に接近することを特徴とする請求項７に記載のコネクタ。
【請求項９】
第１突出部分を含む第１側を含む第１パッドと、
前記第１側に面する第２側と、
を含み、
前記第１突出部分が前記第２側に接近する第２パッドを含むことを特徴とするプリント回路板。
【請求項１０】
前記第２側は、前記第１突出部分に接近する第２突出部分を含むことを特徴とする請求項９に記載のプリント回路板。
【請求項１１】
データ信号は、前記第１ピンによって伝送され、電源信号は、前記第２ピンによって伝送されることを特徴とする請求項１０に記載のプリント回路板。
【請求項１２】
前記電源信号は、接地信号であることを特徴とする請求項１１に記載のプリント回路板。
【請求項１３】
前記第１突出部分の形状は、第１三角形であり、前記第２突出部分の形状は、第２三角形であることを特徴とする請求項１０に記載のプリント回路板。
【請求項１４】
前記第１三角形の頂点は、前記第２三角形の頂点に接近することを特徴とする請求項１３に記載のプリント回路板。
【請求項１５】
前記第１突出部分の形状は、第１弧状であり、前記第２突出部分の形状は、第２弧状であることを特徴とする請求項１０に記載のプリント回路板。
【請求項１６】
前記第１弧状の端子は、前記第２弧状の端子に接近することを特徴とする請求項１５に記載のプリント回路板。
【考案の詳細な説明】
【技術分野】
【０００１】
本考案は、コネクタおよびプリント回路板（ＰＣＢ）に関し、特に、静電圧力を放出するコネクタおよびプリント回路板に関する。
【背景技術】
【０００２】
図１は、従来のプリント回路板の概略図である。プリント回路板（ＰＣＢ）１００は、パッドグループ１１０、トレース１２０、１２１と、集積回路（ＩＣ）１３０と、を含む。パッドグループ１１０は、入力／出力コネクタ（図示せず）と結合したパッド１１１〜１１３を含む。パッド１１２は、トレース１２０によって集積回路１３０と電気接続する。パッド１１３は接地される。
【０００３】
静電気は、摩擦またはその他の要因により人体に帯電し易い。大量の静電気を帯電した人物が入力／出力コネクタに接続したケーブルに触れると、溜まった静電気がパッド１１２とトレース１２０から集積回路１３０に入って、集積回路１３０を破損させる。
【０００４】
図２は、従来のプリント回路板の等価回路図である。符号Ｚ２１は、トレース１２０の前段のインピーダンスを表している。トレース１２０の前段は、パッドグループ１１０に接近する。符号Ｚ２２は、トレース１２０の後段のインピーダンスを表している。トレース１２０の後段は、集積回路１３０に接近する。符号Ｚ２３は、集積回路１３０のインピーダンスを表している。符号Ｚ２４は、トレース１２１のインピーダンスを表している。
【０００５】
パッド１１２に静電気が生じた時、静電電流ＩＥＳＤが発生する。節点Ａの電圧Ｖｇｅｎは、下記の数式１によって表される。
【０００６】
【数１】
0003138624.tif 000003
【０００７】
外部から入った静電気が適切に処理されなければ、プリント回路板に結合された集積回路が破損する。よって、破損した集積回路を含むコンピュータは故障する。
【考案の開示】
【考案が解決しようとする課題】
【０００８】
静電電流を放出するコネクタとプリント回路板を提供する。
【課題を解決するための手段】
【０００９】
コネクタを提供する。コネクタの実施例は、第１ピンと第２ピンを含む。第１ピンは、第１突出部分を含む第１側を含む。第２ピンは、第１側に面する第２側を含む。第１突出部分は、第２側に接近する。
【００１０】
プリント回路板を提供する。プリント回路板の実施例は、第１パッドと第２パッドを含む。第１パッドは、第１突出部分を含む第１側を含む。第２パッドは、第１側に面する第２側を含む。第１突出部分は、第２側に接近する。
【考案の効果】
【００１１】
本考案のコネクタおよびプリント回路板によれば、パッドで静電気が生じた場合、静電電流は、突出部分と、パッドと、トレースから接地に放出され、突出部分によって即時に放出されることから、トレースと集積回路が静電電流によって影響されることがなく、集積回路の破損を防ぐことができる。
【考案を実施するための最良の形態】
【００１２】
本考案についての目的、特徴、長所が一層明確に理解されるよう、以下に実施形態を例示し、図面を参照にしながら、詳細に説明する。
【実施例】
【００１３】
図３Ａは、プリント回路板の実施例の概略図である。プリント回路板（ＰＣＢ）２００は、パッドグループ２１０と、トレース２２０〜２２２と、集積回路２３０と、を含む。パッドグループ２１０は、コネクタ（図示せず）と結合するパッド２１１〜２１９を含む。コネクタのピンがパッド２１１〜２１９に結合される時に、接続線を用いて外部周辺装置とコネクタを接続すれば、データを外部周辺装置と集積回路２３０間に伝送させることができる。この実施例では、パッド２１１〜２１９の形状は、正方形であるがこれに限定されるものではない。他の実施例では、パッド２１１〜２１９の形状は、円形またはその他の形状であってよい。
【００１４】
パッド２１９は、例えば接地信号などの電源信号を受ける。パッド２１８は、パッド２１９に隣接する側面を含む。パッド２１８の側面は、突出部分Ｐ１を含む。パッド２１９は、パッド２１８に隣接する側面を含む。パッド２１９の側面は、突出部分Ｐ２を含む。突出部分Ｐ１は、突出部分Ｐ２に面して接近する。この実施例では、突出部分Ｐ１とＰ２の形状は、三角形であるがこれを限定するものではない。他の実施例では、データ信号を受けるパッド２１８のみがパッド２１９に面する突出部分Ｐ１を含み、パッド２１９は、突出部分Ｐ２を含まなくてよい。さらに他の実施例では、電源信号を受けるパッド２１９のみが突出部分Ｐ２を含み、データ信号を受けるパッド２１８は、突出部分Ｐ１を含まなくてよい。突出部分Ｐ２は、パッド２１８に面する。
【００１５】
図３Ｂは、突出部分の実施例の概略図である。パッド３１２に面するパッド３１１の側面は、突出部分Ｐ３を含む。パッド３１１に面するパッド３１２の側面は、突出部分Ｐ４を含む。突出部分Ｐ３は、突出部分Ｐ４に面して接近する。この実施例では、突出部分Ｐ３とＰ４の形状は、弧状である。
【００１６】
図３Ａを参照して説明すると、データ信号がパッド２１８によって、外部周辺装置から集積回路２３０に伝送された時にパッド２１８で静電気が生じた場合、静電電流は、突出部分Ｐ１、Ｐ２と、パッド２１９と、トレース２２１から接地に放出される。静電電流が突出部分Ｐ１とＰ２によって即時に放出されることから、トレース２２０と集積回路２３０は、静電電流によって影響されることがない。
【００１７】
図４は、図３Ａの等価回路図である。符号Ｚ４１は、トレース２２０の前段のインピーダンスを表している。符号Ｚ４２は、トレース２２０の後段のインピーダンスを表している。符号Ｚ４３は、集積回路２３０のインピーダンスを表している。符号Ｚ４４は、トレース２２２のインピーダンスを表している。符号Ｚ４５は、突出部分Ｐ１と接地間のインピーダンスを表している。
【００１８】
パッド２１８に静電気が生じた時、静電電流ＩＥＳＤが発生する。節点Ｂの電圧Ｖｎｅｗは、下記の数式２によって表される。
【００１９】
【数２】
0003138624.tif 000004
【００２０】
数式１と比較するため、インピーダンスＺ２３とＺ２４は、インピーダンスＺ４３とＺ４４にそれぞれ等しいと仮定する。計算した結果、電圧Ｖｎｅｗは、電圧Ｖｇｅｎより小さい。よって、静電気が集積回路２３０に及ぼす影響は、パッド２１８と２１９の突出部分Ｐ１とＰ２によって減少される。静電電圧が高い時、インピーダンスＺ４５は減少され、よって、静電気の影響が減少される。インピーダンスＺ４５は、突出部分Ｐ１とＰ２の形状と突出部分Ｐ１とＰ２間の距離に基づく。プリント回路板２００の静電耐性は、突出部分Ｐ１とＰ２が制御された時に、制御される。また、パッド２１９に接続する領域は、銅が敷かれることで、その他のパッドがピーク流量を用いて静電電流を接地に放出することができる。
【００２１】
図５は、コネクタの実施例の概略図である。コネクタ５００は、ピン５１０〜５６０を含む。この実施例では、ピン５３０と５６０は、例えば接地信号の電源信号を伝送する。ピン５４０と５５０は、データ信号を伝送する。ピン５５０の右側は、ピン５６０に接近し、突出部分Ｐ５を含み、静電電流を放出する。また、ピン５４０の側面は、ピン５３０に面し、突出部分Ｐ５を含む。ピン５３０の側面は、ピン５４０に面し、突出部分Ｐ７を含む。静電気がピン５４０で生じた時、静電電流は、突出部分Ｐ６とＰ７によって放出される。
【００２２】
以上、本考案の好適な実施例を例示したが、これは本考案を限定するものではなく、本考案の精神及び範囲を逸脱しない限りにおいては、当業者であれば行い得る種々の変更や変形を付加することは可能である。従って、本考案が保護を請求する範囲は、実用新案登録請求の範囲を基準とする。
【図面の簡単な説明】
【００２３】
【図１】従来のプリント回路板の概略図である。
【図２】従来のプリント回路板の等価図である。
【図３Ａ】プリント回路板の実施例の概略図である。
【図３Ｂ】突出部分の実施例の概略図である。
【図４】図３Ａの等価図である。
【図５】コネクタの実施例の概略図である。
【符号の説明】
【００２４】
１００，２００  回路板
１１０，２１０  パッドグループ
１２０，１２１，２２０〜２２２  トレース
１３０  集積回路（ＩＣ）
１１１〜１１３，２１１〜２１９，３１１、３１２  パッド
Ｐ１〜Ｐ８  突出部分
Ｚ２１〜Ｚ２４，Ｚ４１〜Ｚ４５  インピーダンス
ＩＥＳＤ  静電電流
５００  コネクタ
５１０〜５６０  ピン 
【図１】
0003138624.tif 000005
【図２】
0003138624.tif 000006
【図３Ａ】
0003138624.tif 000007
【図３Ｂ】
0003138624.tif 000008
【図４】
0003138624.tif 000009
【図５】
0003138624.tif 000010
【手続補正書】
【提出日】平成19年11月6日(2007.11.6)
【手続補正１】
【補正対象書類名】実用新案登録請求の範囲
【補正対象項目名】全文
【補正方法】変更
【補正の内容】
【実用新案登録請求の範囲】
【請求項１】
第１突出部分を備えた第１側を含む第１ピンと、
前記第１側に面する第２側を含み、前記第１突出部分が前記第２側に接近する第２ピンと、
を含むことを特徴とするコネクタ。
【請求項２】
前記第２側は、前記第１突出部分に接近する第２突出部分を含むことを特徴とする請求項１に記載のコネクタ。
【請求項３】
データ信号が前記第１ピンによって伝送され、電源信号が前記第２ピンによって伝送されることを特徴とする請求項２に記載のコネクタ。
【請求項４】
前記電源信号は、接地信号であることを特徴とする請求項３に記載のコネクタ。
【請求項５】
前記第１突出部分の形状は、第１三角形であり、前記第２突出部分の形状は、第２三角形であることを特徴とする請求項２に記載のコネクタ。
【請求項６】
前記第１三角形の頂点は、前記第２三角形の頂点に接近することを特徴とする請求項５に記載のコネクタ。
【請求項７】
前記第１突出部分の形状は、第１弧状であり、前記第２突出部分の形状は、第２弧状であることを特徴とする請求項２に記載のコネクタ。
【請求項８】
前記第１弧状の端子は、前記第２弧状の端子に接近することを特徴とする請求項７に記載のコネクタ。
【請求項９】
第１突出部分を含む第１側を含む第１パッドと、
前記第１側に面する第２側を含む第２パッドと、
を含み、
前記第１突出部分が前記第２側に接近することを特徴とするプリント回路板。
【請求項１０】
前記第２側は、前記第１突出部分に接近する第２突出部分を含むことを特徴とする請求項９に記載のプリント回路板。
【請求項１１】
データ信号は、前記第１パッドによって伝送され、電源信号は、前記第２パッドによって伝送されることを特徴とする請求項１０に記載のプリント回路板。
【請求項１２】
前記電源信号は、接地信号であることを特徴とする請求項１１に記載のプリント回路板。
【請求項１３】
前記第１突出部分の形状は、第１三角形であり、前記第２突出部分の形状は、第２三角形であることを特徴とする請求項１０に記載のプリント回路板。
【請求項１４】
前記第１三角形の頂点は、前記第２三角形の頂点に接近することを特徴とする請求項１３に記載のプリント回路板。
【請求項１５】
前記第１突出部分の形状は、第１弧状であり、前記第２突出部分の形状は、第２弧状であることを特徴とする請求項１０に記載のプリント回路板。
【請求項１６】
前記第１弧状の端子は、前記第２弧状の端子に接近することを特徴とする請求項１５に記載のプリント回路板。